(57)【要約】［課題］  反射効果を長期に亘って保持することができ、更に反射態様にも変化を与えることができ、歩行者の安全を長期に亘って確保することができるとともに、機能回復を容易に行うことのできる、新規な反射材を具えた履物を開発することを技術課題とした。［解決手段］  履物本体における外側露見範囲に、再帰性反射機能を有する反射材を設け、且つこの反射材は、支持材と反射素子と透明保護材とを具えて構成されるものであり、且つ前記反射素子と透明保護材とは非密着状態に組み合わされていることを特徴として成り、反射素子が透明保護材によって保護されるため、ほこりや細かな砂粒が直接付着してしまうことがなく、反射効果を維持することができる。また反射素子と透明保護材とは非密着状態であるため、良好な再帰性反射を実現することができる。
2010073314.tif 000002
【特許請求の範囲】
【請求項１】
履物本体における外側露見範囲に、再帰性反射機能を有する反射材を設け、且つこの反射材は、支持材と反射素子と透明保護材とを具えて構成されるものであり、
且つ前記反射素子と透明保護材とは非密着状態に組み合わされていることを特徴とする反射材を具えた履物。
【請求項２】
前記反射材は、外側露見範囲の全周囲に亘って配置されていることを特徴とする請求項１記載の反射材を具えた履物。
【請求項３】
前記反射材は紐状に形成されたものであり、且つ透明保護材の材料で縫い代が形成されていることを特徴とする請求項１または２記載の反射材を具えた履物。
【請求項４】
前記縫い代には、曲成支援構造が具えられていることを特徴とする請求項３記載の反射材を具えた履物。
【請求項５】
前記透明保護材には、色彩による装飾効果が付与されていることを特徴とする請求項１、２、３または４記載の反射材を具えた履物。
【請求項６】
前記透明保護材はプリズム状に形成されたものであることを特徴とする請求項１、２、３、４または５記載の反射材を具えた履物。
【発明の詳細な説明】
【技術分野】
【０００１】
本発明は歩行者の安全を確保するための反射機能を具えた履物に関するものであって、特に反射効果を長期に亘って保ち、且つ反射態様にも変化を与えることのできる反射材を具えた履物に関するものである。
【背景技術】
【０００２】
本出願人は、夜間や日没後の歩行者の安全を確保すべく、靴のアッパー部と靴底との境界部に反射機能を有したラインピースを具えた履物を案出し、既に特許出願に及ぶとともに特許権を取得している（特許文献１参照）。
このものは、芯材となるラインピースの周面全域を、反射機能を有するテープ状の布材で巻き込むことにより、ラインピースに対して反射機能を付与し、歩行者に対して照射されたヘッドライト等を反射させることができるものであるため、夜間や日没後の交通事故の減少に貢献し得るものである。【０００３】
ところで前記反射機能は再帰性反射を利用するものであり、テープ状の布材表面に微細なガラス球を密集させ、このガラス球により再帰性反射性能を行うものである。しかしながら履物は路面近くに位置するものであるため、ほこりや細かな砂粒が付着してしまった部位においては、再帰性反射性能を発揮することができなくなってしまう。もちろん濡れ雑巾等で拭えば機能回復を図ることができるものの、運動靴の場合には、洗う際にブラシで擦ることが行われるためガラス球の脱離を引き起こしてしまうことも想定される。
【特許文献１】特許第３８２３９５９号公報
【発明の開示】
【発明が解決しようとする課題】
【０００４】
本発明はこのような背景を認識して成されたものであり、反射効果を長期に亘って保持することができ、更に反射態様にも変化を与えることができ、歩行者の安全を長期に亘って確保することができるとともに、機能回復を容易に行うことのできる、新規な反射材を具えた履物を開発することを技術課題としたものである。
【課題を解決するための手段】
【０００５】
すなわち請求項１記載の反射材を具えた履物は、履物本体における外側露見範囲に、再帰性反射機能を有する反射材を設け、且つこの反射材は、支持材と反射素子と透明保護材とを具えて構成されるものであり、且つ前記反射素子と透明保護材とは非密着状態に組み合わされていることを特徴として成るものである。
この発明によれば、反射素子が透明保護材によって保護されるため、ほこりや細かな砂粒が直接付着してしまうことがなく、反射効果を維持することができる。
また反射素子と透明保護材とは非密着状態であるため、良好な再帰性反射を実現することができる。【０００６】
また請求項２記載の反射材を具えた履物は、前記要件に加え、前記反射材は、外側露見範囲の全周囲に亘って配置されていることを特徴として成るものである。
この発明によれば、例えば歩行者から見ると、自動車は３６０°全ての方向から接近してくる可能性があるが、どの方向から照射された光に対しても再帰性反射を起こさせることができ、歩行者の安全をより確実に確保することができる。【０００７】
更にまた請求項３記載の反射材を具えた履物は、前記要件に加え、前記反射材は紐状に形成されたものであり、且つ透明保護材の材料で縫い代が形成されていることを特徴として成るものである。
この発明によれば、靴のアッパーとソールとを組み付ける際に、これらの間に反射材を容易に組み込むことができる。【０００８】
更にまた請求項４記載の反射材を具えた履物は、前記請求項３記載の要件に加え、前記縫い代には、曲成支援構造が具えられていることを特徴として成るものである。
この発明によれば、靴の複雑な外形に対して、反射材の形状を容易に馴染ませることができ、組み付け時の作業性を向上することができる。【０００９】
更にまた請求項５記載の反射材を具えた履物は、前記要件に加え、前記透明保護材には、色彩による装飾効果が付与されていることを特徴として成るものである。
この発明によれば、特に再帰性反射機能が要求されない明るい時間帯において、履物のデザイン性を向上することができる。【００１０】
更にまた請求項６記載の反射材を具えた履物は、前記要件に加え、前記透明保護材はプリズム状に形成されたものであることを特徴として成るものである。
この発明によれば、特に再帰性反射機能が要求されない明るい時間帯において、履物のデザイン性を向上することができる。またレンズ効果により反射光を強調することができる。
そしてこれら各請求項記載の発明の構成を手段として、前記課題の解決が図られる。
【発明の効果】
【００１１】
本発明によれば、反射素子の反射効果を長期に亘って保持することができ、機能回復を容易に行うことができるため、歩行者の安全を長期に亘って確保することが可能となる。このため本発明を特にブラシでの擦り洗いが行われる運動靴等に適用した場合の商品性を高めることができる。
更に反射態様にも変化を与えることができ、デザイン性を向上させて商品性を高めることができ、例えば履物を履いた人の存在が確実に認識されるという機能を、履物自体の意匠をなんら損なうことなく、むしろ意匠性を高めた状態で実現することができる。
【図面の簡単な説明】
【００１２】
【図１】履物の一例であるスポーツシューズを示す斜視図及び反射材を一部破断して示す斜視図である。
【図２】反射素子が一体化された支持材を示す横断面図及び反射材を示す分解斜視図である。
【図３】反射材を一部拡大して示す横断面図である。
【図４】曲成支援構造が形成された反射材を示す斜視図である。
【図５】透明保護材をプリズム状に形成した実施例を示す横断面図である。
【図６】履物に対する反射材の組み付け態様を示す説明図である。
【図７】反射材の他の実施例を示す説明図である。
【符号の説明】
【００１３】
Ｓ      シューズ
１      アッパー
１１    ストライプ
２      ソール
３      反射材
３１    支持材
３１ａ  担持部
３１ｂ  ライナー
３２    反射素子
３２１  ガラスビーズ
３２２  基材
３３    透明保護材
３３ｂ  ガイド溝
３３１  受入部
３３２  縫い代
３３３  曲成支援構造
【発明を実施するための最良の形態】
【００１４】
本発明を実施するための最良の形態の一つは以下の実施例に説明するとおりであるが、この実施例に対して、本発明の技術的思想の範囲内において適宜変更を加えることも可能である。
【実施例】
【００１５】
図中、符号Ｓで示すものが本発明の「反射材を具えた履物」の一例であるシューズであり、履物本体における外側露見範囲、一例として足を包み込むアッパー１と、接地部位であるソール２との間に反射材３が組み付けられて構成されるものである。
なおシューズＳは、反射材３を具えている点以外は通常の歩行用やジョギング用の靴と同様の構成である。【００１６】
ここで前記反射材３について詳しく説明すると、このものは図１〜３に示すように、支持材３１と反射素子３２と透明保護材３３とを具えて構成されるものである。
前記支持材３１は、一例として紐状に形成されたものであり、その断面形状は図２（ａ）に示すように、円形の担持部３１ａと、この担持部３１ａから角状に突出したライナー３１ｂとを具えたものとなっている。
そして前記ライナー３１ｂとその近傍を除いた担持部３１ａの外周に対して反射素子３２が具えられるものであり、具体的には図３に拡大して示すようにガラスビーズ３２１が接着樹脂等の基材３２２によって保持される。
なおこのような支持材３１への反射素子３２の一体化は、硬化前の基材３２２にガラスビーズ３２１を混入したものを、スプレーエアガンを用いる等して担持部３１ａに吹き付けたり、シート状の形態で半硬化状態としたものを担持部３１ａに貼付することにより行われる。【００１７】
また前記透明保護材３３は、図１〜３に示すように、ＥＶＡ等の透明樹脂によって形成された管状部材であり、断面視ほぼ円形の受入部３３１が形成されたものである。
またこの実施例では、前記透明保護材３３には縫い代３３２が形成されるものであり、図３に示すように断面視において、受入部３３１から薄板状の縫い代３３２が突出した状態で一体成型されるようにした。
そして上述したような透明保護材３３の形状に因み、透明保護材３３が押出成型された場合、前記受入部３３１の断面形状は完全な円形とはならず、縫い代３３２付近が先細り状となった涙粒状の断面形状となる。なおこの部分をガイド溝３３ｂと呼び、後述するように支持材３１の挿入時に供するものとする。【００１８】
またこの実施例では、前記縫い代３３２には図４に示すように、曲成支援構造３３３が具えられるようにした。この曲成支援構造３３３は、反射材３の組み付け対象であるシューズＳが複雑な外形形状を有するものであるため、このものに対して反射材３の形状を容易に馴染ませることができるようにするものである。
具体的には曲成支援構造３３３としては、図４（ａ）に示すような切込みや、図４（ｂ）に示すような弱化穴のような形態が採られるものである。
そしてこのような曲成支援構造３３３により、反射材３を曲げる際の加工作業が容易に行われることとなる。【００１９】
また前記透明保護材３３には、色彩による装飾効果を付与してもよく、具体的には受入部３３１を構成する樹脂に対して着色（反射光の著しい減衰が生じない範囲での着色）を施したり、ラメ材等を混入する等の手法が採られる。【００２０】
また前記透明保護材３３をプリズム状に形成してもよく、具体的は図５に示すように受入部３３１の断面形状を不均一にして所望のレンズ効果が得られるようにする。即ち、受入部３３１の断面形状をこのような形状にすると反射光が見えやすくなり、実際のものよりも更に幅の広い反射材３が取り付けられているような効果が生じるのである。【００２１】
そして図２に示すように、反射素子３２が具えられた支持材３１を、透明保護材３３における受入部３３１に挿入することにより反射材３が構成されるものである。この際、受入部３３１の断面形状は完全な円形とはならず、縫い代３３２付近が先細り状となった涙粒状の断面形状となっているため、支持材３１におけるライナー３１ｂがガイド溝３３ｂに嵌まって位置決めがなされ、支持材３１が捻じれてしまうのを防止することができる。
また前記ライナー３１ｂが存在することにより、支持材３１の外周面の一部は受入部３３１の内周面に非接触状態となり、この結果、摺擦抵抗が減少されるため支持材３１の挿入が容易に行われるとともに、ガラスビーズ３２１の脱離が防止されることとなる。【００２２】
なおこの状態で前記反射素子３２（ガラスビーズ３２１）と透明保護材３３とは非密着状態に組み合わされている。ここで非密着状態とは、図３に拡大して示すように、ガラスビーズ３２１は、その一部が透明保護材３３における受入部３３１の内周部に接してはいるものの、基材３２２に埋もれていない部分が全て受入部３３１の内周部に接しているわけではない状態を意味するものである。そしてこのような非密着状態が作り出されることにより、ガラスビーズ３２１による再帰性反射が良好に行われることとなる。【００２３】
そしてこのようにして構成された反射材３を、アッパー１とソール２との間に組み付けるものであり、この実施例では、反射材３が、シューズＳにおける外側露見範囲の全周囲に亘って位置するようにした。
なおここで「全周囲」とは、図６（ａ）に示すように、平面視におけるシューズＳの外形の全周を意味するものであるが、要は装着者から見て３６０°全方向からの光に対して再帰性反射を起こさせることができればよいので、図６中に示すように足の挿入部の全周に反射材３を位置させるようにしてもよい。
また前記反射材３は連続している必要はなく、図６（ｂ）に示すように一部が分断された状態となっていてもよい。【００２４】
本発明の「反射材を具えた履物」の一例であるシューズＳは一例として上述したように構成されるものであり、反射素子３２が透明保護材３３によって保護されるため、ほこりや細かな砂粒が直接付着してしまうことがなく、反射効果を長期に亘って維持することができる。
また反射素子３２と透明保護材３３とは非密着状態であるため、良好な再帰性反射を実現することができる。
また、例えば歩行者から見ると、自動車等は３６０°全ての方向から接近してくる可能性があるが、どの方向から照射された光に対しても再帰性反射を起こさせることができ、歩行者の安全をより確実に確保することができる。
更にまた反射材３を、靴のアッパー１とソール２との間に容易に組み込むことができる。
更にまた靴等の複雑な外形に対して、反射材３の形状を容易に馴染ませることができ、組み付け時の作業性を向上することができる。
更にまた特に再帰性反射機能が要求されない明るい時間帯において、履物のデザイン性を向上することができる。【００２５】
〔他の実施例〕
本発明は以上述べた実施例を基本となる実施例とするものであるが、本発明の技術的思想に基づいて、以下に示す実施例を採ることもできる。
まず前記反射材３は縫い代３３２を有しているため、図６（ｃ）に示すように、ストライプ１１を縫い付ける際に、このストライプ１１に沿うように同時に縫い付けるようにしてもよい。なおこの場合、反射材３は、シューズＳにおける外側露見範囲の全周囲に亘って位置することとはならないが、ストライプ１１は外側露見範囲の略全周囲に亘って位置するものであり、更に通常は左右のシューズＳは同じ姿勢にはならないため、実質的に装着者から見て３６０°全方向からの光に対して再帰性反射を起こさせることができる。【００２６】
また上述した基本となる実施例では、反射材３を縫い代３３２を具えたものとしたが、図７に示すように縫い代３３２を具えない構成とすることもできる。なお図７に示したものは、一本の透明保護材３３に対して受入部３３１を二ヵ所に設け、それぞれの受入部３３１に対して、反射素子３２を具えた支持材３１を挿入するようにしたものである。更に支持材３１に対して、反射素子３２を点在させることにより、デザイン性を高めている。
なおこのように透明保護材３３に縫い代３３２が具えられていない場合には、例えばアッパー１やソール２の表面に対して直接、接着材等によって固着させればよい。
【図１】
2010073314.tif 000003
【図２】
2010073314.tif 000004
【図３】
2010073314.tif 000005
【図４】
2010073314.tif 000006
【図５】
2010073314.tif 000007
【図６】
2010073314.tif 000008
【図７】
2010073314.tif 000009
【国際調査報告】
2010073314.tif 000010
2010073314.tif 000011
2010073314.tif 000012
2010073314.tif 000013